(57)【要約】【課題】枕の本体に構造的特異性を持たせることと、該本体とは別に特殊の袋カバーを備えることで、枕の本体の所定部分に高低差を持たせて頭部姿勢を安定支持させ、所定のクッション性を付与させるようにすること。【解決手段】本体１が、左右の嵩高部３と、これらの間に配置された嵩低部４と、緩衝用空室部１４とを備え、袋カバー２が、開閉用のファスナー８を有し、且つ、該袋カバー２の少なくとも全長の寸法が、前記本体１の全長よりも顕著に短く構成され、前記本体１が、前記嵩低部４と緩衝用空室部１４の皺寄せ状態を利用して該袋カバー２に収納されている。【選択図】図１
2009018138.tif 000002
【特許請求の範囲】
【請求項１】
本体１と袋カバー２とからなる就寝用の枕であって、
本体１が、粒状乃至小片状充填物９が充填された６区画を含む、互いに逢着された８区画の袋状体から構成され、
該８区画は、
左右両側に配置され、上端部が間隔を狭く、下端部が間隔を広くされて正面視で略八の字形に対向するように配置された嵩高部３、３と、
前記嵩高部３、３の上端部の略八の字形の先端部に夫々形成された緩衝用空室部１４、１４と、
前記嵩高部３、３の間で、前記本体１の略中央位置に配置された嵩低部４と、
該嵩低部４と前記嵩高部３、３との間に夫々位置された左右支え部６、６と、前記嵩高部３、３の下端部間を繋ぐように設けられた首当て部７と、から成り、
前記嵩高部３、３には、その袋状体の容積に略対応する粒状乃至小片状充填物９が充填されて所定のクッション性と保形性とを備え、
前記嵩低部４には、粒状乃至小片状充填物９が未完充填状態で充填されて所定のクッション性と変形性とを備え、
前記本体１を収納する袋カバー２が、開閉用のファスナー８を有し、且つ、該袋カバー２の少なくとも全長の寸法Ｌ２が、前記本体１の全長Ｌ１よりも短く構成され、
前記本体１が、前記嵩低部４の未完充填状態と前記緩衝用空室部１４、１４の未充填状体とを用いて皺寄せさせられた状態で、該袋カバー２に収納されている、
ことを特徴とする枕。
【請求項２】
前記嵩低部４の上端部は、前記本体１の上縁に位置され、ここにファスナー１６が設けられている、
ことを特徴とする請求項１の枕。
【請求項３】
前記首当て部７には、粒状乃至小片状充填物９を収納した収納袋１５を、圧縮原綿１０のシートでロール巻きしたものが収納されていることを特徴とする請求項１の枕。
【発明の詳細な説明】
【技術分野】
【０００１】  本発明は、就寝用等に使用する枕の改良に関する。
【背景技術】
【０００２】  就寝用等に使用する枕としては、古来より、和洋の種々の構成のものが使用され、また、提案されている。
一般には、全体が袋状で、内部に羽毛や蕎麦殻等が充填されている。
これらの単純な構成の場合であって、大量生産の製品としての枕は、その高さが製作時に決定されてしまうものであり、各人に適合した高さを得がたいという問題があった。
尤も、古くは、一般家庭においては、一旦完成しても、その袋状態の逢着を一部解き、蕎麦殻等の充填量を適宜調整して、高さ調整を行うことはできた。
尚、枕本体が汚れるのを防止するために、枕カバーを本体の全体或いは中央部に着脱自在に被せることは行われていた。【０００３】  上述した大量生産の枕では、その高さ調整が行い難いという問題と、頭部を支える硬さにも問題があり、枕を硬く構成すると寝返りが行い難く、また、柔らかくし過ぎると、頭部が枕に沈み込み、安定した支えが得られ難いという問題がある。【０００４】  このような問題を解決しようとして、種々の提案がなされており、例えば、次の技術が挙げられる。
【特許文献１】実用新案登録第３０６８５３２号。
【特許文献２】実用新案登録第３０７４６５４号。
【発明の開示】
【発明が解決しようとする課題】
【０００５】  上記の従来技術によれば、枕の各部位に硬軟性を持たせることで頭部姿勢を最適な状態となるようにすること、或いは、内部充填物に硬軟性の素材を選択して分散配置する等の手段によって頭部の安定化を図ることが提案されている。
しかし、何れにしても、これまでは、生産工程における縫製が完了した時点で、その枕の固有の柔軟性等が決定されることになるので、大量生産においては、適正な枕の硬さ、高さを設定することは非常に難しいものであった。【０００６】  本発明は、かかる問題点に鑑み、枕の本体に構造的特異性を持たせることと、該本体とは別に特殊の袋カバーを備えることで、枕の本体の所定部分に高低差を持たせて頭部姿勢を安定支持させ、所定のクッション性を付与させるようにすることを目的とする。
【課題を解決するための手段】
【０００７】  本発明にかかる枕は、上記課題を解決するために、請求項１に記載の通り、
就寝用の枕であって、
本体１と袋カバー２とからなる就寝用の枕であって、
本体１が、粒状乃至小片状充填物９が充填された６区画を含む、互いに逢着された８区画の袋状体から構成され、
該８区画は、
左右両側に配置され、上端部が間隔を狭く、下端部が間隔を広くされて正面視で略八の字形に対向するように配置された嵩高部３、３と、
前記嵩高部３、３の上端部の略八の字形の先端部に夫々形成された緩衝用空室部１４、１４と、
前記嵩高部３、３の間で、前記本体１の略中央位置に配置された嵩低部４と、
該嵩低部４と前記嵩高部３、３との間に夫々位置された左右支え部６、６と、前記嵩高部３、３の下端部間を繋ぐように設けられた首当て部７と、から成り、
前記嵩高部３、３には、その袋状体の容積に略対応する粒状乃至小片状充填物９が充填されて所定のクッション性と保形性とを備え、
前記嵩低部４には、粒状乃至小片状充填物９が未完充填状態で充填されて所定のクッション性と変形性とを備え、
前記本体１を収納する袋カバー２が、開閉用のファスナー８を有し、且つ、該袋カバー２の少なくとも全長の寸法Ｌ２が、前記本体１の全長Ｌ１よりも短く構成され、
前記本体１が、前記嵩低部４の未完充填状態と前記緩衝用空室部１４、１４の未充填状体とを用いて皺寄せさせられた状態で、該袋カバー２に収納されている、ことを特徴とする。【０００８】  本発明において、クッション性とは、弾力性と同義であり、保形性とは、当初縫製された形状を略保持される状態をいう。
更に、粒状乃至小片状充填物９の未完充填状態とは、その対象の袋状体の本来の容積に対して満杯状態に充填されていないことを言う。
【発明の効果】
【０００９】  本発明によれば、枕の本体に、８区画の室を形成して、高低の変化を微細に調整できながら、両側の嵩高部とこれに挟まれた嵩低部を設けるという構造的特異性を持たせ、且つ、その８区画に空室を２区画形成することで、皺寄せ状態を容易に作り出すことができて、該本体に比べて全長が顕著に短い袋カバーへの収納を容易ならしめ、該本体を、袋カバーの内部で変形、及び位置変動可能とすることができる（嵩低部を皺寄せ、或いは２区画の空室の皺寄せを伸ばす）。【００１０】  これにより、袋カバーへの本体の収納を容易ならしめながら、枕の本体の所定部分に高低差を持たせると同時に、所定のクッション性を付与させ、以って、頭部姿勢をクッション性よく安定支持させ、寝心地を向上させることが出来る利点がある。
その結果、枕製造時にその高低位置、硬軟性を確定させる必要がなく、製造が容易となる利点も得られるのである。
本発明のその他利点は、以下の記載から明らかとなろう。
【発明を実施するための最良の形態】
【００１１】  本発明の実施に際しては、前記嵩低部４の上端部は、前記本体１の上縁に位置され、ここにファスナー１６が設けられているのが好ましい。
前記本体１の上縁とは、使用時に頭頂部側が位置する箇所をいう。
このように、ファスナー１６を設けることで、スタンダードで縫製した後で、その嵩低部４の粒状乃至小片状充填物９の量を調節することができ、個人に合った高さを得ることができる。【００１２】  前記首当て部７には、粒状乃至小片状充填物９を収納した収納袋１５を、圧縮原綿１０のシートでロール巻きしたものが収納されているのが好ましい。
このように構成したことで、首当て部７を比較的堅固な状態とすることができながら、原綿１０のシートによる当たりの柔らかさを得ることができる。
【実施例】
【００１３】  本発明の実施の形態を、図面を参照して以下詳述する。
図１は、本発明にかかる枕の本体の平面図であり、図２は、図１のＡ−Ａ線矢視断面図、図３は、図１のＢ−Ｂ線矢視断面図、図４は、前記本体を袋カバーに収納した枕全体の使用状体を示す斜視図である。【００１４】  図１に示すように、この枕は、本体１が、左右両側に、略ハの字状に配置された袋状体の嵩高部３、３と、これらの袋状体の嵩高部３、３の間に配置された袋状体の嵩低部４と、その嵩高部３、３と嵩低部４との間を、後述の左右支え部６、６を介して逢着しおり、更に、前記左右支え部６、６の上端と、前記嵩高部３、３と嵩低部４との間の略三角形部には、緩衝用空室部１４、１４が形成され、また、下部には、後述の首当て部７が形成されて構成されている。【００１５】  これら嵩高部３、３、嵩低部４、左右支え部６、６、緩衝用空室部１４、１４、緩衝用空室部１４、１４の袋状体は、綿織り生地で縫製（ミシンによる手縫い）されている。勿論、その生地としては、化繊或いは合繊でもよい。図中、１１がその逢着のミシン目を示す。そして、嵩高部３、３と嵩低部４、４という意味は、何れ側に頭部を乗せても、乗せなくても嵩高部３、３は嵩低部４よりも、床（或いはベッド面からの高さが高い）からの高さが高いということである。
また、前記緩衝用空室部１４、１４は、後述の袋カバー２に、該袋カバー２よりも長さが大きい本体１を収納するときの皺寄せをより一層容易ならしめるためのものである。【００１６】  そして、前記嵩高部３、３は、その袋状体の容積に略対応する粒状乃至小片状充填物９が充填されて所定のクッション性と保形性とを備えている。この粒状充填物９とは、プラスチック、ここでは、ポリエチレン製のもので、約１センチ程度の球状体に貫通孔を設けた構造のものである。その小片状充填物９とは、同じ素材で、チップ状にされたものである。従って、これらを単独で用いるか、或いは混合して用いることができる。【００１７】  前記嵩低部４は、その袋状体の容積に比して顕著に小さい容積を形成するように粒状乃至小片状充填物９が未完充填状態で充填されて所定のクッション性と変形性とを備えている。ここでは、容積比で、１０％乃至２０％程度の差をつけているが、この前後であれば、適宜の比としてもよい。また、その粒状乃至小片状充填物９は、上記と同様にポリエチレン製のものである。
更に、前記嵩低部４は、その上端部が、本体１の上縁に位置され、そこにファスナー１６が設けられ、この前記嵩低部４に充填されている粒状乃至小片状充填物９の量を、縫製後においても調節できるようにしてある。【００１８】そして、綿生地で縫製された袋カバー２が、その一部に、開閉用のファスナー８を有し、且つ、該袋状体２の少なくとも全長Ｌ１の寸法が、前記本体１の全長Ｌ２よりも顕著に短く構成されている。ここでは、その差は、８乃至１０センチとしている。しかし、その幅については、両者は、略同寸となっている。尚、袋カバー２の少なくとも全長の寸法が、前記本体の全長よりも顕著に短く構成され、という顕著の意味は、比較として１〜２センチ程度ではなく、５センチ、１０センチといった大きな差異をいう。
このように、前記本体１が、前記嵩低部４の容積に比して少ない量の未完充填状態とさしたことで、左右方向から中央に寄せると、皺寄せさせることができ、即ち、本体１の全長を短縮、伸張させることができるようにされているのである。
尚、前記ファスナー８は、マジックテープ等に変えてもよい。【００１９】  また、前記嵩高部３、３の頭頂側部分３Ａ、３Ａが、直接、前記嵩低部４に逢着されると共に他の部分（即ち、その中央部と下部）が、前記本体１の全幅方向に沿って配置された低柔軟性で袋状の左右支え部６、６に逢着されている。
そして、前記左右支え部６、６の内側の上部及び中央部が、前記嵩低部４の外側に逢着されているのである。【００２０】  更に、前記嵩高部３、３の首側部分３Ｂ、３Ｂが、前記左右支え部６、６を介して、低柔軟性の袋状の首当て部７により前記嵩低部４に逢着されているのである。
そして、前記嵩高部３、３及び嵩低部４には、プラスチック製、ここでは、ポリエチレン製の粒状乃至小片状充填物９が充填されると共に嵩低部４には、その袋状の容積よりも少ない量が充填されることで高柔軟性を発現できるように構成されている。この粒状充填物９は、直径約１センチ程度の球状体で、貫通孔が設けられている。また、小片状充填物９とした場合は、いわゆるチップ状のものである。【００２１】  更に、前記左右支え部６、６にはプラスチック製の粒状乃至小片状充填物９（上記と同様のもの）が略充満状態で充填されて低柔軟性を発現させ、前記首当て部７には、シート状の原綿１０（圧縮されている）が、粒状乃至小片状充填物９を充填した袋状体１５にロール巻きしたものが充填され、所定の硬さと低柔軟性を発現しながら、原綿１０の当たりの柔らかさを得ることができるように構成されている。
尚、図２及び図３において、原綿１０の断面を示しているが、実際には、その原綿１０のシートは、本体１の長手方向に長いもので、長手方向の軸心周りに巻回したものであり、断面の現れ方が異なるが、便宜上図示を変えている。
尚、図４において、１２は、枕に乗せた頭部を示す。
【産業上の利用可能性】
【００２２】  本発明の枕の特徴は、粒状乃至小片状充填物を袋状体の本体に収容し、この本体を袋カバーに収納させるものであり、本来の構成として格別の素材を用いる分けではないので、就寝用として用いるものであれば、どのようなタイプのものでも適用可能であり、その応用範囲は広いものである。
【図面の簡単な説明】
【００２３】
【図１】本発明にかかる枕の本体の平面図である。
【図２】本発明にかかる枕の本体の図１におけるＡ−Ａ線矢視断面図である。
【図３】本発明にかかる枕の本体の図１におけるＢ−Ｂ線矢視断面図である。
【図４】本発明にかかる枕の外観を示す斜視図である。
【符号の説明】
【００２４】  １：本体
２：袋カバー
３：嵩高部
４：嵩低部
６：左右支え部
９：粒状乃至小片状充填物
１０：原綿
１４：緩衝用空室部
【図１】
2009018138.tif 000003
【図２】
2009018138.tif 000004
【図３】
2009018138.tif 000005
【図４】
2009018138.tif 000006